(57)【特許請求の範囲】
【請求項１】
撮像手段から入力される映像を処理する画像処理装置であり、
撮影開始信号を検知すると、前記撮像手段から入力される映像を、連写画像又は動画像を構成する複数のフレーム画像の形式で記憶部に記憶させる第１記憶手段と、
撮影停止信号を検知すると、前記第１記憶手段にて記憶された複数のフレーム画像の中から、当該撮影停止信号の検知時点を基準として時系列上の所定区間内のフレーム画像を記憶部に記憶させる第２記憶手段と、
前記所定区間の設定値を受け付ける設定手段を備え、
前記第２記憶手段にて記憶されたフレーム画像が前記所定区間分を満たさない場合は、当該不足分のフレーム画像に代えて補完画像を記憶させ、
前記補完画像は、その全てが、表示させたときに前記フレーム画像とは区別可能な画像であることを特徴とする画像処理装置。
【請求項２】
請求項１に記載の画像処理装置を備えるカメラ機能付き電子機器。
【請求項３】
撮像手段により入力される映像の処理をコンピュータに実行させるための画像処理プログラムであり、
撮影開始信号を検知すると、前記撮像手段から入力される映像を、連写画像又は動画像を構成する複数のフレーム画像の形式で記憶部に記憶させる第１記憶ステップと、
撮影停止信号を検知すると、前記第１記憶ステップにて記憶された複数のフレーム画像の中から、当該撮影停止信号の検知時点を基準として時系列上の所定区間内のフレーム画像を記憶部に記憶させる第２記憶ステップと、
前記所定区間の設定値を受け付ける設定ステップを備え、
前記第２記憶ステップにて記憶されたフレーム画像が前記所定区間分を満たさない場合は、当該不足分のフレーム画像に代えて補完画像を記憶させ、
前記補完画像は、その全てが、表示させたときに前記フレーム画像とは区別可能な画像であることを特徴とする画像処理プログラム。
【発明の詳細な説明】
【技術分野】
【０００１】
本発明は、映像を処理して所望の連写画像や動画像を生成する画像処理装置、それを備えるカメラ機能付き電子機器、及び、画像処理プログラムに関する。
【背景技術】
【０００２】
近年、デジタルカメラやカメラ付き携帯端末などが普及し、手軽に連写画像や動画像を撮影できるようになった。連写画像や動画像は様々な場面で撮影されるが、撮影のタイミングを計るのが非常に難しい場面がある。たとえば、ゴルフのスウィング、野球のピッチング・バッティング、ボーリングの投球といった、スポーツのフォームを撮影する場合などである。【０００３】
下記特許文献１には、連写撮影時の開始タイミングを見逃したときに、開始タイミングを遡及させる技術が開示されている。ＤＲＡＭには被写体像が順次記憶され、ユーザが連写開始タイミングの見逃しに気付いた場合は、シャッターボタンを半押状態にすると、順次過去のスルー画像が表示される。ユーザがシャッターボタンを全押し状態とすると、その時点で表示されていたスルー画像以降の画像が連写画像として記録される。
【先行技術文献】
【特許文献】
【０００４】
【特許文献１】特開２０００−７８４５２号公報
【発明の概要】
【発明が解決しようとする課題】
【０００５】
しかしながら、上記特許文献１の技術は、連写撮影時の開始タイミングを見逃したときは、常にシャッターボタンを半押状態として過去のスルー画像を表示させ、その中から再度開始タイミングを計ってシャッターを全押しなければならず、操作が非常に煩雑であった。【０００６】
また、過去のスルー画像を見ながらの状態でも開始タイミングを計ることが難しい場合は、何度も過去のスルー画像を繰り返し表示させ、開始タイミングを合わせるように何度もトライする必要があり、更に操作が煩雑となってしまう。【０００７】
連写撮影のチャンスが次々と訪れる場合もあり、このように煩雑な操作を行っている間に、次の撮影チャンスを逃してしまう恐れもある。【０００８】
これは、連写画像のみならず、特許文献１の技術を動画像に適用した場合にも同様の問題が発生することは明らかである。【０００９】
そこで、本願発明は、所望のタイミングの連写画像や動画像を簡単な操作にて得ることができる画像処理装置、それを備えるカメラ機能付き電子機器、及び、画像処理プログラムを提供することを目的とする。
【課題を解決するための手段】
【００１０】
発明者は上記問題を解決するために鋭意検討を重ねた。その結果、ゴルフのスウィングや野球の投球など、様々なスポーツのフォームを連写画像又は動画像にて撮影する場合、フォームの動作開始は被写体であるプレイヤー本人の意思によるため、撮影者は撮影開始のタイミングを合わせることが困難な傾向にあるが、フォームの動作終了時については、撮影者はその様子を伺いながら撮影しているためタイミングを合わせるのが比較的容易であるとの見解を得た。その他にも、例えば、人や動物の特定のしぐさや、いまにも落下しそうな物体の落下状態をピンポイントで撮影したい場合など、撮影開始のタイミングを合わせるのは困難であるが、撮影停止のタイミングは合わせやすい場面は多い。そこで、発明者はこの傾向に着目し、タイミングを合わせ易い撮影停止時点を基準とし、そこから遡及的に画像を得ることにより、所望の連写画像又は動画像を容易に得ることができると考え、本発明を完成させるに至った。【００１１】
本発明の画像処理装置は、撮像手段から入力される映像を処理する画像処理装置であり、撮影開始信号を検知すると、前記撮像手段から入力される映像を、連写画像又は動画像を構成する複数のフレーム画像の形式で記憶部に記憶させる第１記憶手段と、撮影停止信号を検知すると、前記第１記憶手段にて記憶された複数のフレーム画像の中から、当該撮影停止信号の検知時点を基準として時系列上の所定区間内のフレーム画像を記憶部に記憶させる第２記憶手段と、前記所定区間の設定値を受け付ける設定手段を備え、前記第２記憶手段にて記憶されたフレーム画像が前記所定区間分を満たさない場合は、当該不足分のフレーム画像に代えて補完画像を記憶させ、前記補完画像は、その全てが、表示させたときに前記フレーム画像とは区別可能な画像であることを特徴とする。
【００１２】
また、本発明の画像処理プログラムは、撮像手段から入力される映像の処理をコンピュータに実行させるためのプログラムであり、撮影開始信号を検知すると、前記撮像手段から入力される映像を連写画像又は動画像を構成する複数のフレーム画像の形式で記憶部に記憶させる第１記憶ステップと、撮影停止信号を検知すると、前記第１記憶ステップにて記憶された複数のフレーム画像の中から、当該撮影停止信号の検知時点を基準として時系列上の所定区間内のフレーム画像を記憶部に記憶させる第２記憶ステップと、前記所定区間の設定値を受け付ける設定ステップを備え、前記第２記憶ステップにて記憶されたフレーム画像が前記所定区間分を満たさない場合は、当該不足分のフレーム画像に代えて補完画像を記憶させ、前記補完画像は、その全てが、表示させたときに前記フレーム画像とは区別可能な画像であることを特徴とする。
【００１３】
本発明によれば、第１記憶手段／ステップでは、撮影開始信号が検知されると、連写画像又は動画像を構成するフレーム画像が逐次記憶され、第２記憶手段／ステップでは、撮影停止信号が検知されると、第１記憶手段／ステップで記憶されたフレーム画像の中から所定区間内のフレーム画像が選択的に記憶される。第２記憶手段／ステップにて記憶されるフレーム画像は、撮影停止信号の検知時点を基準として時系列上の所定区間内にあるフレーム画像である。これにより、ユーザは撮影停止時点を基準とし、その時点から遡った動画像や連写画像を得ることができる。【００１４】
また、本発明の画像処理装置／プログラムは、前記所定区間の設定値を受け付ける設定手段／ステップを備える。たとえば、野球の投球フォームやゴルフのスウィングなど、被写体によってその時間長が容易に予想できるものも多い。この発明によれば、ユーザが時系列上の区間を設定すると、その設定値が所定区間として受け付けられ、その区間内のフレーム画像が連写画像又は動画像として記憶される。なお、所定区間は、時系列上の区間を直接的又は間接的に示すものであれば良く、例えば、連写画像の場合はフレーム画像数や、各フレーム画像の時間間隔、時間長、又は、これらの組み合わせ、動画像の場合は時間長などである。【００１５】
また、この発明によれば、連写画像や動画像を表示させると、不足分のフレーム画像に代えて補完画像が表示される。これにより、ユーザは、設定した区間が補完画像の分だけ長いことがわかり、次回の設定においては、より的確に区間を設定することができる。
【発明の効果】
【００１６】
本発明によれば、撮影停止信号を基準として遡った連写画像や動画像を得ることができる。ユーザは、タイミングを合わせるのが困難な撮影開始においては余裕を持って操作することができ、撮影停止は被写体の様子を伺いながらタイミングを合わせることができるため、簡単な操作にて所望の連写画像又は動画像を得ることができる。タイミングが合わずに何度も操作を繰り返す事態も生じず、次のシャッターチャンスを逃すこともない。また、連写画像や動画像を表示させると、不足分のフレーム画像に代えて補完画像が表示される。これにより、ユーザは、設定した区間が補完画像の分だけ長いことがわかり、次回の設定においては、より的確に区間を設定することができる。
【図面の簡単な説明】
【００１７】
【図１】本発明の第一の実施の画像処理装置を内蔵するカメラ機能付き電子機器を説明する概略ブロック図である。
【図２】上記実施の形態の第一記憶部の構成を概念的に説明する説明図である。
【図３】上記実施の形態の第一記憶部に記憶されるフレーム画像を概念的に説明する説明図である。
【図４】上記実施の形態の第二記憶部に記憶されるフレーム画像を説明する説明図である。
【図５】上記実施の形態の画像処理プログラムを説明する概略フローチャートである。
【図６】本発明の第二の実施の形態の画像処理装置を内蔵するカメラ機能付き電子機器を説明する概略ブロック図である。
【図７】本発明の第三の実施の形態の画像処理装置により生成される連写画像の例を説明する図である。
【発明を実施するための形態】
【００１８】
［第一の実施の形態］
図１は、本発明の第一の実施の画像処理装置１を内蔵するカメラ機能付き電子機器Ｓ１を説明する概略ブロック図である。
【００１９】
カメラ機能付き電子機器Ｓ１は、例えば、静止画撮像用カメラや動画撮像用カメラ、カメラ機能付き携帯電話等であり、撮像手段２、画像処理装置１を実現するコンピュータ３、撮影開始信号発生手段４、撮影停止信号発生手段５を備える。なお、カメラ機能付き電子機器Ｓ１が静止画用である場合は連写画像、動画用である場合は動画像、両方の機能を備える場合はモード切り替えにより連写画像又は動画像が得られるが、本発明は連写画像・動画像のいずれについてもほぼ同様の処理を行うため、以下、区別することなくまとめて説明する。
【００２０】
撮像手段２は、例えば、撮像レンズ，ＣＣＤ等の撮像素子，Ａ／Ｄコンバータなどを備え、撮影レンズを介して撮像素子に入力された信号をデジタルデータ形式の映像に変換して出力する機能を備える。コンピュータ３は、ＣＰＵ、バッファメモリ、不揮発性メモリ、ハードディスク等を備えるものである。第一記憶部６はバッファメモリにより実現され、第二記憶部７は不揮発性メモリにより実現されている。なお、第一記憶部６及び第二記憶部７はこれに限られるものではなく、記憶装置で実現されていれば良い。たとえば、第二記憶部７をハードディスクや記憶メディアなどで実現しても良い。撮影開始信号発生手段４と撮影停止信号発生手段５は、連写画像や動画像の撮影の開始や停止を示す信号を発生する機能を備える。たとえば、撮影開始ボタンや撮影停止ボタンであり、図示しないディスプレイ画面に表示され、ユーザによるクリックやタップで撮影開始信号や撮影停止信号を発するものであっても良いし、又、機械的スイッチであるシャッターボタンであり、ユーザによる押下で撮影開始信号や撮影停止信号を発するものであっても良い。
【００２１】
画像処理装置１は、コンピュータ３のＣＰＵにより実現されるものであり、インストールされている画像処理プログラムに基づいてＣＰＵやメモリ等を動作させることにより画像処理装置１としての機能を発揮するものである。画像処理装置１は、第１記憶手段１１と第２記憶手段１２とを備え、撮像手段２から入力される映像を用いて所定の処理を行う。なお、上述の通り、撮像手段２から出力される映像はデジタルデータである。
【００２２】
第１記憶手段１１は、撮影開始信号発生手段４からの撮影開始信号を検知すると、撮像手段２から入力される映像を、連写画像又は動画像を構成する複数のフレーム画像の形式で、第一記憶部６に記憶させる機能を備える。詳しくは、例えば、第１記憶手段１１は、撮像手段２から入力される映像（カメラ映像）を画面に出力させ、その画面を所定時間間隔にて連続的にキャプチャすることにより複数のフレーム画像を生成し、これらのフレーム画像を第一記憶部６に記憶させたり、又は、連続するフレーム画像から構成されるストリーム形式の映像ファイルを受け取り、その映像ファイルを第一記憶部６に記憶させたりする。第１記憶手段１１は、これに限られるものではなく、フレーム画像群から構成される映像から、選択的にフレーム画像を抽出し、抽出したフレーム画像を第一記憶部６に記憶させても良いし、その他、同様の機能を有するものであれば良い。
【００２３】
図２は、第一記憶部６の構成を概念的に説明する説明図であり、連写画像が２４枚のフレーム画像で構成される場合の例である。画像処理装置１は、第一記憶部６に各フレーム画像を格納する記憶領域Ｐを確保する。第一記憶部６には記憶領域Ｐ０１〜Ｐ２４が確保される。図３は、第一記憶部６に記憶されるフレーム画像を概念的に説明する説明図であり、画像処理装置１が時間ｔ０１のときに撮影開始信号を検知し、時間ｔ３５のときに撮影停止信号を検知したときの例である。
【００２４】
第１記憶手段１１は、撮影開始信号発生手段４からの撮影開始信号を検知すると、撮像手段２から入力される映像を、フレーム画像の形式として、第一記憶部６の記憶領域Ｐｎ（ｎは整数）に時系列順に記憶させる。たとえば、第１記憶手段１１は、撮像手段２から入力される映像を画面に表示させ、予め設定された所定時間間隔で画面をキャプチャすることによりフレーム画像ｆｎ（ｎは整数）を逐次生成し、第一記憶部６に記憶させたり、又は、ストリーム形式の映像ファイルを逐次受け取り、第一記憶部６に記憶させたりする。このとき、フレーム画像ｆｎが記憶領域Ｐｎの上限数（ｎ＝２４）を越えた場合は、記憶領域Ｐ０１から順に上書き保存することが好ましい。これにより、時系列上で最も古いフレーム画像から順に新たなフレーム画像に上書きされ、不要なフレーム画像が消去される。
【００２５】
第１記憶手段１１は、撮影停止信号発生手段５からの撮影停止信号を検知すると、第一記憶部６へのフレーム画像ｆｎの記憶を停止する。図３に示すように、時間ｔ３５のときに撮影停止信号が検知されると、第一記憶部６には、時間ｔ３５から遡って時間ｔ１２までの２４枚のフレーム画像ｆ３５〜ｆ１２が保存された状態となる。これらのフレーム画像群には時系列情報が付加されており、後続の処理にてフレーム画像を時系列に配列させることが可能となっている。
【００２６】
第２記憶手段１２は、撮影停止信号発生手段５からの撮影停止信号を検知すると、第１記憶手段１１にて第一記憶部６に記憶されたフレーム画像ｆ１２〜ｆ３５の中から、撮影停止信号の検知時点ｔ３５を基準として時系列上の所定区間Ａ内のフレーム画像を第二記憶部７に記憶させる機能を備える。本実施の形態では、時間ｔ３５から遡って所定枚数分（２４枚分）のフレーム画像を第二記憶部７に記憶させる。図４は、第二記憶部７に記憶されるフレーム画像を説明する説明図である。撮影停止信号が検知された時間ｔ３５を基準として、時系列上の所定区間Ａ内の２４枚分のフレーム画像ｆ１２〜ｆ３５が第二記憶部７に記憶される。なお、フレーム画像群ｆ１２〜ｆ３５は、各フレーム画像が時系列順に一つのファイルに結合され、一つの連写画像ファイルや動画像ファイルとして保存される。また、連写画像であれば各フレーム画像に時系列情報を付加して一つのフォルダ内にまとめて保存しても良い。このとき、保存ファイルやフォルダに撮像日時やＧＰＳにて取得した位置情報を付加しても良い。
【００２７】
ここで、本実施の形態では、第一記憶部６にて必要枚数のフレーム画像のみを保存しているため、第一記憶部６の全てのフレーム画像を第二記憶部７に記憶させているが、例えば、第一記憶部６に撮影開始信号から撮影停止信号までの全てのフレーム画像ｆ０１〜ｆ３５が保存されている場合は、その中から所定区間Ａのフレーム画像を選択的に保存すれば良い。すなわち、画像処理装置１は第一記憶部６に十分な数の記憶領域Ｐを確保し、第１記憶手段１１は、上書き保存することなく、生成したすべてのフレーム画像ｆ０１〜ｆ３５を第一記憶部６に記憶させる。第２記憶手段１２は、第一記憶部６のすべてのフレーム画像ｆ０１〜ｆ３５から所定区間Ａ内のフレーム画像ｆ１２〜ｆ３５を選択し、第二記憶部７に記憶させる。これにより、上記と同様に、所定区間Ａ内のフレーム画像ｆ１２〜ｆ３５から構成される連写画像又は動画像を得ることができる。
【００２８】
図５は、本実施の形態の画像処理プログラムを説明する概略フローチャートである。本発明の画像処理プログラムは、インターネット等のネットワークを介してダウンロードされたり、ＣＤ−ＲＯＭ等の記憶媒体に記憶されたり、電子機器に内蔵される記憶装置に記憶されたりする。
【００２９】
第１記憶ステップ：第１記憶ステップは、コンピュータ３を第１記憶手段１１として機能させるステップであり、撮影開始信号を検知すると、撮像手段２から入力される映像を、連写画像又は動画像を構成する複数のフレーム画像の形式で、第一記憶部６に記憶する。撮影停止信号が検知されるまで、フレーム画像の記憶を繰り返す。
【００３０】
第２記憶ステップ：第２記憶ステップは、コンピュータ３を第２記憶手段１２として機能させるステップであり、撮影停止信号を検知すると、第１記憶ステップにて記憶された複数のフレーム画像の中から、撮影停止信号の検知時点を基準として時系列上の所定区間Ａ内のフレーム画像を第二記憶部７に記憶させる。
【００３１】
なお、詳細は上記各手段１１，１２と同様のため、説明を省略する。
【００３２】
このカメラ機能付き電子機器Ｓ１は、次の通り使用される。ユーザは、ファインダを見ながら撮影開始信号発生手段４を操作することにより撮影開始信号を発生させる。ファインダは、図示しないディスプレイに表示される電子ファインダでも良いし、光学的に結像させた画像を覗き窓から見るピントグラスでも良い。撮影開始信号発生手段４の操作において、ユーザは、撮影開始のタイミングを厳密に合わせる必要はない。例えば、ゴルフのスウィングを撮影する場合、ユーザは被写体がスウィングを開始する瞬間に撮影を開始するようタイミングを計る必要はなく、スウィングの開始前に余裕を持って撮影を開始してしまえば良い。画像処理装置１は、撮影開始信号を検知すると、第１記憶手段１１が、撮像手段２より入力される映像を、複数のフレーム画像の形式として、第一記憶部６に記憶させる。
【００３３】
ユーザは、ファインダで被写体の状態を見ながら、撮影停止のタイミングを計って撮影停止信号発生手段５を操作する。たとえば、ゴルフのスウィングであれば、ユーザはスウィングの動作を見ながらタイミングを合わせて撮影停止信号発生手段５を操作すれば良い。ゴルフのスウィングは動作がほぼ決まっており、その動作を見ながら撮影停止信号発生手段５を操作するため、スウィング動作の終了に撮影停止タイミングを合わせることは容易である。画像処理装置１は、撮影停止信号を検知すると、第２記憶手段１２が第一記憶部６に記憶されているフレーム画像の中から、撮影停止信号の検知時点を基準として、時系列上の所定区間Ａ内のフレーム画像を第二記憶部７に記憶させる。フレーム画像は時系列に結合されて連写画像ファイルや動画像ファイルとして保存される。
【００３４】
ユーザは、第二記憶部７に記憶された連写画像ファイルや動画像ファイル、又は、記憶先のフォルダを指定し、フレーム画像群をディスプレイ（図示せず）に表示させたり、又は、記憶メディアに保存して他の表示装置にて表示させる。フレーム画像群は連写画像として時系列順に連続表示又は並列表示されるか、又は、動画像として表示される。連写画像又は動画像は、ユーザが被写体の状態を見ながらタイミングを合わせて撮影停止操作を行い、その停止タイミングを基準として遡って得られるフレーム画像から構成されるため、例えばゴルフのスウィングであればその開始から終了までの全ての動作を撮影することができる。撮影開始タイミングを逃して最初の動作の撮影が欠けるような事態も起こらない。撮影開始は余裕を持って行い、撮影停止は被写体の動作を見ながらタイミングを合わせられるため、操作は非常に容易であり、複雑な操作により次回のシャッターチャンスを逃すような事態も生じない。
【００３５】
なお、本実施の形態では、時系列上の所定区間Ａとして、フレーム画像の枚数を用いているが、これに限られるものではない。たとえば、撮影停止信号の検知時点を基準として所定時間遡った区間内としても良い。すなわち、所定区間とは、第二記憶部７に記憶されるフレーム画像が、撮影開始信号の検知から撮影停止信号の検知までに生成されたフレーム画像を時系列に配列したときに、撮影停止信号の検知時点を基準として遡った所定区間に位置するフレーム画像群となる区間であれば良い。
【００３６】
また、所定区間Ａは、予め画像処理プログラム内で設定されていても良いし、ユーザにより設定可能としても良い。以下、第二の実施の形態にて、所定区間Ａをユーザ設定可能とした例について説明する。
【００３７】
［第二の実施の形態］
本実施の形態のカメラ機能付き電子機器Ｓ２は、上記実施の形態に加え、所定区間Ａをユーザにより設定可能としたものである。図６は、カメラ機能付き電子機器Ｓ２を説明する概略ブロック図である。カメラ機能付き電子機器Ｓ２は設定操作手段９を備え、画像処理装置１は設定手段１３を備え、コンピュータ３は第三記憶部８を備える。第三記憶部８は、揮発性メモリにより実現されている。なお、第三記憶部８はこれに限るものではなく、不揮発性メモリ、揮発性メモリ、ハードディスク等、記憶装置により実現されていれば良い。
【００３８】
設定操作手段９は、ユーザに所定区間Ａの設定をさせる機能を備えるものであり、例えば、図示しないディスプレイ画面に表示される設定画面や、機械的なボタンやダイヤルなどである。ユーザは、設定操作手段９を操作することにより、画像処理装置１に所定区間Ａの設定値を入力可能となっている。ここで、設定値とは、連写画像であれば、例えば、フレーム画像数、動画像であれば時間長である。その他、各フレーム画像の解像度やフレーム画像間の時間間隔等を設定可能としても良い。すなわち、上記実施の形態の例では、ユーザは設定値をフレーム画像数２４枚として設定したこととなる。
【００３９】
設定手段１３は、画像処理装置１の一部としてＣＰＵにより実現されるものであり、設定操作手段９から入力される設定値を第三記憶部８に記憶させる機能を備える。第三記憶部８に記憶された設定値は、次回に入力される設定値にて上書き保存される。第１記憶手段１１又は第２記憶手段１２は、第三記憶部８に記憶されている設定値を参照し、その設定値に基づいて各記憶部６，７にフレーム画像を記憶させる。本実施の形態では、第一記憶部６にフレーム画像を必要分だけ上書き保存し、第一記憶部６の全てのフレーム画像を第二記憶部７に記憶することから、第１記憶手段１１が第三記憶部８の設定値を参照し、第一記憶部６に保存するフレーム枚数をその設定値とする。一方、第一記憶部６が生成される全てのフレーム画像を保存し、第２記憶手段１２がそのフレーム画像の中から所定区間Ａ内のフレーム画像を選択して第二記憶部７に記憶させる場合は、第２記憶手段１２が第三記憶部８を参照し、その設定値を所定区間Ａとして用いれば良い。
【００４０】
また、本実施の形態の画像処理プログラムは、コンピュータ３を設定手段１３として動作させる設定ステップを備える。設定ステップは、設定操作手段９からの設定値の入力を待機し、設定値が入力されると、その設定値を第三記憶部８に記憶する。
【００４１】
以下、このカメラ機能付き電子機器Ｓ２の動作説明を行う。ユーザは、まず初期設定として、設定操作手段９にて所定区間Ａの設定を行う。設定操作手段９がディスプレイ表示である場合は、設定専用の画面を表示させ、クリックやタップ等により設定値を入力する。設定操作手段９が機械的なボタンやダイヤルである場合は、それらを適宜操作することにより設定値を入力する。設定値が入力されると、設定手段１３はその入力を検知し、設定値を第三記憶部８に記憶させる。
【００４２】
次に、ユーザは撮影開始信号発生手段４により撮影開始の指示をすると、第１記憶手段１１又は第２記憶手段１２は、設定値を参照し、その設定値を所定区間Ａの値として、上述した各動作を行う。
【００４３】
これにより、被写体に合わせて所定区間Ａの長さを調整することが可能となる。たとえば、ゴルフのスウィングや野球のピッチング・バッティング、ボーリングの投球など、被写体により撮りたい連写画像や動画像の長さが異なるが、カメラ機能付き電子機器Ｓ２はその被写体に合わせて所定区間Ａが調整可能であるため、過不足の無い連写画像や動画像を得ることができる。
【００４４】
本実施の形態は、上記第二の実施の形態に加えて、補完画像を記憶する機能を備える。第２記憶手段１２は、第二記憶部７にフレーム画像を記憶するときに、フレーム画像数が所定区間Ａ分を満たしていない場合は、その不足分のフレーム画像に代えて補完画像を記憶させる。たとえば、所定区間Ａがフレーム画像数２４枚であり、第二記憶部７に記憶させるフレーム画像数が１７枚である場合、不足分の７枚を補完画像として記憶させる。補完画像としては、例えば、フレーム画像と同形の黒色画像等であるが、これに限るものではなく、表示させたときにフレーム画像と区別可能な画像であり、不足分のフレーム画像の代わりに表示させるものであれば、どのような画像でも良い。図７は、表示される連写画像の例である。所定区間Ａとしてフレーム画像数２４枚と設定されており、撮影開始信号の検知から撮影停止信号の検知までに記憶されたフレーム画像数が１７枚であった場合、末尾に７枚の補完画像が挿入されて表示される。
【００４５】
なお、連写画像を時系列に連続表示させる場合や動画像を表示させる場合は、不足するフレーム画像の時間分だけ補完画像が表示される。
【００４６】
ユーザは、この表示画像を見ることにより、補完画像の分だけ所定区間Ａが長いことがわかる。これにより、ユーザは次回の設定においては、より的確に所定区間Ａを設定することができ、更に過不足のない連写画像や動画像を得ることができる。
【００４７】
以上、本発明によれば、タイミングを合わせるのが困難な撮影開始においては余裕を持って操作することができ、撮影停止は被写体の様子を伺いながらタイミングを合わせることができるため、簡単な操作にて所望の連写画像又は動画像を得ることができる。タイミングが合わずに何度も操作を繰り返す事態も生じず、次のシャッターチャンスを逃すこともない。
【００４８】
また、本発明は上記実施の形態に限定されるものではなく、発明の範囲内において適宜変更可能である。
【符号の説明】
【００４９】
Ｓ１，Ｓ２  カメラ機能付き電子機器
１    画像処理装置
１１  第１記憶手段
１２  第２記憶手段
２    カメラ
３    コンピュータ
４    撮影開始信号発生手段
５    撮影停止信号発生手段
６    第一記憶部
７    第二記憶部
８    第三記憶部
９    設定操作部
【図１】
0005474964.tif 000002
【図２】
0005474964.tif 000003
【図３】
0005474964.tif 000004
【図４】
0005474964.tif 000005
【図５】
0005474964.tif 000006
【図６】
0005474964.tif 000007
【図７】
0005474964.tif 000008